(57)【要約】【課題】短縮可能なレンズ鏡筒において枠部材同士の隙間からの不要光線を簡単な構成で確実に遮光するレンズ鏡筒を提供する。【解決手段】光軸Ｏ方向に移動可能な二群枠１１（第１の枠部材）と、二群枠に対し光軸方向に相対移動可能で撮影準備状態で二群枠を通過する光束の一部が通過する開口５０を有する三群用直進枠７（第２の枠部材）と、三群用直進枠に対し光軸方向に相対移動可能で撮影準備状態で三群用直進枠の開口に対し連通する開口５０を有し短縮状態では三群用直進溝に対し光軸方向に離間した位置に配置されるシャッター枠９（第３の枠部材）と、撮影準備状態では二つの開口５０を塞ぐ位置に配置され短縮状態では二群枠により撓まされて変形し三群用直進枠に一部固着される第１可撓性部材５１と、撮影準備状態で少なくとも二つの開口５０の一部を塞ぐように第１可撓性部材と重畳しシャッター枠に固着される第２可撓性部材５２とを備えてなる。【選択図】図２
2009169285.tif 000002
【特許請求の範囲】
【請求項１】
伸縮可能なレンズ鏡筒において、
光軸方向に移動可能な第１の枠部材と、
上記第１の枠部材より光軸後方に配置され、上記第１の枠部材に対し上記光軸方向に相対移動可能な第２の枠部材と、
上記第１の枠部材と上記第２の枠部材との間に配置され、上記第２の枠部材の方向に前方からの不要光が通過してしまう開口を有し、上記第２の枠部材に対し上記光軸方向に相対移動可能で、上記レンズ鏡筒が伸長した撮影準備状態で上記第２の枠部材に対し光軸方向に離間し、上記撮影準備状態より短縮した沈胴状態では、上記第２の枠部材に対し上記撮影準備状態より近接する第３の枠部材と、
撮影準備状態では上記開口を塞ぐように、短縮状態では上記第１の枠部材の当接により撓まされるよう上記第３の枠部材より前方に配置されて上記第２の枠部材に固着されている第１の可撓性部材と、
撮影準備状態では光軸方向において上記第１の可撓性部材の直後に配置され、上記第１の可撓性部材と重畳して少なくとも上記開口の一部を塞ぐように上記第３の枠部材に固着されて短縮状態では上記第１の可撓性部材の撓み先端に重なり当接している第２の可撓性部材と、
を有することを特徴とする伸縮可能なレンズ鏡筒。
【請求項２】
上記開口は上記鏡筒内の上記光軸外にある部材との干渉を避けるための開口であることを特徴とする請求項１に記載の短縮可能なレンズ鏡筒。
【請求項３】
上記レンズ鏡筒は、さらに上記第２の枠部材に光軸上と光軸外との間を揺動可能に設けられた第４の枠部材を有し、上記撮影準備状態から上記沈胴状態への移行に伴い該第４の枠部材が光軸上から光軸外へと移行し、上記第２の可撓性部材と当接して上記第２の可撓性部材を撓ませることを特徴とする請求項１に記載の短縮可能なレンズ鏡筒。
【請求項４】
上記第２の可撓性部材は、上記レンズ鏡筒が撮影準備状態への移行に伴い、上記第１の可撓性部材を上記第１の可撓性部材の変形前の状態に復元させることを特徴とする伸縮可能なレンズ鏡筒。
【発明の詳細な説明】
【技術分野】
【０００１】
この発明は、レンズ鏡筒、詳しくは光軸に沿う方向に伸長した形態の使用状態と光軸に沿う方向に短縮した形態の非使用状態との間で伸縮し全長が短縮可能に構成されるレンズ鏡筒に関するものである。
【背景技術】
【０００２】
従来、写真撮影を行うカメラ等に適用されるレンズ鏡筒においては、光軸に沿う方向に伸長して当該レンズ鏡筒が適用されるカメラの筐体の前面に向けて突出した形態となる使用状態と、光軸に沿う方向に短縮して同カメラの筐体内に収納された形態となる非使用状態との間でレンズ鏡筒の全長が伸縮自在に構成したものが一般に実用化され、広く普及している。
【０００３】
このような構成の短縮可能なレンズ鏡筒は、非使用状態においてレンズ鏡筒の全長を短縮した状態とすることで、当該レンズ鏡筒を適用したカメラの携帯性を向上させることに寄与するという利点がある。
【０００４】
一方、上述のような構成のレンズ鏡筒においては、撮影光学系を構成する複数の光学レンズを保持する複数の枠部材のそれぞれを光軸に沿う方向に移動させることになる。このとき複数の枠部材のうちの所定の枠部材には、フォーカス駆動のための駆動モータ等が配設されており、これらの構成物も枠部材の光軸方向への移動に伴って移動することになる。したがって、その移動経路を確保する必要がある。
【０００５】
他方、通常のカメラに適用されるレンズ鏡筒においては、撮影光学系を透過して結像面に到達する光線以外の不要な光線が、撮影光路内に入射すると、撮影結果に悪影響を及ぼすため、このような不要光線の光路内への侵入を遮断する必要がある。
【０００６】
しかしながら、上述のように、光軸方向に移動する枠部材に配設される各種構成部材の移動経路を確保したとき、そのような空間から撮影光路内に不要光線が入射する可能性がある。
【０００７】
そこで、従来のレンズ鏡筒においては、撮影光学系を透過して結像面に到達する光線以外の不要な光線を遮光するための構造について、種々の提案がなされている。
【０００８】
例えば、特開２００４−２５２２００号公報等によって開示されている手段は、光軸に沿う方向へのモータの移動を可能とするための切欠部から不要光線が入射するのを抑止して、光漏れを防止するために、可撓性の遮光シートをレンズ鏡筒内の所定の部位に設けて構成している。
【特許文献１】特開２００４−２５２２００号公報
【発明の開示】
【発明が解決しようとする課題】
【０００９】
ところが、特開２００４−２５２２００号公報によって開示されている手段によれば、可撓性の遮光シートは、ズーム動作のたびに撓みが生じる構成となっているので、使用期間が長くなると遮光シートに塑性変形が残留してしまう可能性がある。この場合、遮光シートに撓みが残ったままの状態では、当該遮光シートによって遮光されるべき部位からの光漏れが発生し易い状況になるという問題点がある。
【００１０】
本発明は、上述した点に鑑みてなされたものであって、その目的とするところは、短縮可能なレンズ鏡筒において、レンズ鏡筒内における枠部材同士の隙間から生じる不要光線を、簡単な構成で確実に遮光し得る構成を実現したレンズ鏡筒を提供することである。
【課題を解決するための手段】
【００１１】
上記目的を達成するために、本発明によるレンズ鏡筒は、伸縮可能なレンズ鏡筒において、光軸方向に移動可能な第１の枠部材と、上記第１の枠部材より光軸後方に配置され、上記第１の枠部材に対し上記光軸方向に相対移動可能に形成される第２の枠部材と、上記第１の枠部材と上記第２の枠部材との間に配置され、上記第２の枠部材の方向に前方からの不要光が通過してしまう開口を有し、上記第２の枠部材に対し上記光軸方向に相対移動可能で、上記レンズ鏡筒が伸長した撮影準備状態で上記第２の枠部材に対し光軸方向に離間し、上記撮影準備状態より短縮した沈胴状態では、上記第２の枠部材に対し上記撮影準備状態より近接する第３の枠部材と、撮影準備状態では上記開口を塞ぐように、短縮状態では上記第１の枠部材の当接により撓まされるよう上記第３の枠部材より前方に配置されて上記第２の枠部材に固着されている第１の可撓性部材と、撮影準備状態では光軸方向において上記第１の可撓性部材の直後に配置され、上記第１の可撓性部材と重畳して少なくとも上記開口の一部を塞ぐように上記第３の枠部材に固着されて短縮状態では上記第１の可撓性部材の撓み先端に重なり当接している第２の可撓性部材と、を有することを特徴とする。
【発明の効果】
【００１２】
本発明によれば、伸縮可能なレンズ鏡筒において、レンズ鏡筒内における枠部材同士の隙間から生じる不要光線を、簡単な構成で確実に遮光し得る構成を実現したレンズ鏡筒を提供することができる。
【発明を実施するための最良の形態】
【００１３】
以下、図示の実施の形態によって本発明を説明する。
【００１４】
図１〜図７は、本発明の一実施形態を示す図である。このうち、図１は本実施形態のレンズ鏡筒の構成を示す分解斜視図である。図２は本実施形態のレンズ鏡筒を構成する複数の枠部材のうちシャッター及び三群ユニットと二群枠とを取り出して一部を分解して示す要部分解斜視図である。図３は本実施形態のレンズ鏡筒を構成する複数の枠部材のうちシャッター及び三群ユニットを取り出してその前面側を示す要部拡大斜視図である。図４は図３で示すシャッター及び三群ユニットのうちさらにシャッターユニットを取り出して示す要部拡大斜視図である。図５，図６は、本実施形態のレンズ鏡筒におけるシャッター及び三群ユニットを取り出して後面側から見た際の要部拡大斜視図であって、図５は使用状態、図６は非使用状態を示している。図７，図８は、本実施形態のレンズ鏡筒の光軸を含む面に沿う断面図であって、図７は使用状態（ワイド位置）、図８は非使用状態を示している。図９は、図８の一部を拡大して示す要部拡大断面図である。詳しくは、本レンズ鏡筒のうちシャッター及び三群ユニットと二群枠とが非使用状態にあるときの拡大断面図である。
【００１５】
以下の説明においては、本実施形態のレンズ鏡筒における撮影光学系の光軸を符号Ｏで表すものとする。この光軸Ｏに沿う方向において被写体側を前方とし、当該レンズ鏡筒における各枠部材が、前方に向かう際の方向を繰り出し方向というものとする。一方、同光軸Ｏに沿う方向において結像側を後方とし、各枠部材が後方に向かう際の方向を繰り込み方向というものとする。当該レンズ鏡筒における各構成部材の回転方向は、前方側から見た回転方向で表わすものとする。
【００１６】
本実施形態のレンズ鏡筒は、カメラに適用されるものであって、伸縮可能な撮影レンズ、即ちレンズ鏡筒であって、光軸Ｏに沿う方向に伸長して当該レンズ鏡筒が適用されるカメラの筐体の前方に向けて伸長し突出して撮影動作を行い得る形態、即ち撮影動作を待機している形態の使用状態である撮影待機状態（撮影準備状態）と、光軸Ｏに沿う方向に伸長した状態より短縮して同カメラの筐体内に収納されてレンズ鏡筒が撮影動作に供しない形態の非使用状態である短縮状態との間でレンズ鏡筒の全長が伸縮自在に構成され、かつ撮影待機状態にあるときには短焦点位置（ワイド位置）と長焦点位置（テレ位置）との間で複数の枠部材を繰り出しまたは繰り込むことで変倍動作（ズーミング）を可能とする伸縮機構を有して構成されるズームレンズ鏡筒である。
【００１７】
本発明の一実施形態のレンズ鏡筒の構成について、図１〜図６を用いて以下に説明する。
【００１８】
本実施形態のレンズ鏡筒１は、図１に示すように、カメラ本体（図示せず）に固定される固定枠２と、固定枠２に支持されてズーミング時や沈胴動作時に駆動源となる駆動モータ１７ａの駆動力によって回転及び進退駆動される回転枠３と、光軸方向に進退しかつ回転枠３に対し相対的に光軸Ｏに沿う方向の進退移動が規制された状態で回転可能な移動枠４と、回転枠３と一体に回転し回転枠３に対して光軸Ｏに沿う方向に進退移動するカム枠５と、回転が規制された状態でカム枠５と共に光軸Ｏに沿う方向に進退する直進ガイド枠６と、回転が規制された状態で回転枠３によって光軸Ｏに沿う方向に進退駆動されシャッター機構や退避レンズ枠である三群枠１０（図１では図示せず。図２，図３等参照）を内部に有するシャッター及び三群ユニット３２と、回転が規制された状態でカム枠５によって光軸Ｏに沿う方向にそれぞれ進退駆動される二群枠１１及び一群枠１２と、フォーカシング時や沈胴動作時に光軸Ｏに沿う方向に進退駆動されるフォーカシングレンズ枠である四群枠１３と、一群枠１２に保持される一群レンズ２１（図１では図示せず。後述の図７，図８参照），二群枠１１に保持される二群レンズ２２，三群枠に保持される三群レンズ２３，四群枠１３に保持されるフォーカシングレンズである四群レンズ２４からなる撮影光学系と、固定枠２の後端に固定される保持プレート１５等によって構成される。
【００１９】
レンズ鏡筒１の後側には撮像ユニット（図示せず）が装着される。この撮像ユニットは、撮像素子等を含む構成部材からなり、保持プレート１５が取り付けられた固定枠２の後端面に対してビス止め固定されている。これによって、撮像ユニットは、レンズ鏡筒１の後側に固定保持されている。
【００２０】
固定枠２は、円筒状に形成されており、その内周部に光軸Ｏに対して傾斜する方向に形成される傾斜カム溝部と円周に沿う方向に形成される円周溝部とが連接してなるカム溝２ａと、光軸Ｏに沿う方向に形成される直進溝２ｂ，２ｃとを有している。
【００２１】
また、固定枠２の外周部には、撮影光学系のズーミング動作を行うためのユニットであってズーム駆動源であるズームモータや、このズームモータの駆動力を伝達するギヤー列，ロングギヤー等からなるズーミングユニット１７と、撮影光学系のフォーカシング動作を行うためのユニットであってフォーカス駆動源であるフォーカスモータ，フォーカスモータの駆動力を伝達するギヤー列，送りねじ及びガイド軸等からなるフォーカシングユニット１８とが配設されている。
【００２２】
ズーミングユニット１７は、ズームモータにより本レンズ鏡筒１の撮影光学系のうちズーミング動作に寄与するズーム光学系（一群レンズ２１，二群レンズ２２，三群レンズ２３）を光軸Ｏに沿う方向に駆動するズーム駆動機構であり、さらに、本レンズ鏡筒１を撮影待機状態から短縮状態へと駆動させる沈胴動作をも行う。
【００２３】
フォーカシングユニット１８は、フォーカスモータにより本レンズ鏡筒１の撮影光学系のうちフォーカシング動作に寄与するフォーカシング光学系（四群レンズ２４）を光軸Ｏに沿う方向に駆動するフォーカス駆動機構としての役目をしている。
【００２４】
なお、ズーミングユニット１７のロングギヤーは、特に図示されていないが、ギヤー回転軸を光軸Ｏに平行に配置され、固定枠２の内周部に露呈した状態で回動自在に支持されている。
【００２５】
回転枠３は、円筒状に形成されており、固定枠２の内周部に回動及び進退自在な状態で嵌入している。回転枠３の外周後方部には、固定枠２のカム溝２ａに摺動自在に嵌入するカムフォロワ３ａと、ロングギヤーに噛合するギヤー部３ｂとが形成されている。
【００２６】
また、回転枠３の内周部には、光軸Ｏに対して傾斜する方向に形成された三群用カム溝３ｄと、光軸Ｏに沿う方向に形成されたカム枠用直進溝３ｃとを有している。このカム枠用直進溝３ｃは、後述するカム枠５のカムフォロワ４１が係合することで、カム枠５と回転枠３とが共に回転しながら、カム枠５が回転枠３に対して光軸Ｏに沿う方向に移動可能とするものである。
【００２７】
さらに、回転枠３の内周後端部には、内方に向けて突出するように形成される複数のバヨネット突起３ｅがカム枠用直進溝３ｃを挟むようにして配設されている。このバヨネット突起３ｅは、後述するように移動枠４の円周溝４ｅに嵌入することによって、回転枠３と移動枠４とをバヨネット結合させるために設けられるものである。したがって、回転枠３と移動枠４とがバヨネット結合した状態では、移動枠４は回転枠３の内周部において回転自在となっていると共に、移動枠４は回転枠３に対して光軸Ｏに沿う方向への進退移動が規制されている。
【００２８】
上述したように、回転枠３のカムフォロワ３ａは、固定枠２のカム溝２ａに摺動自在に嵌入しており、ギヤー部３ｂは、ロングギヤーに噛合している。したがって、ズーミングユニット１７のズームモータが駆動されてロングギヤーが回転駆動されると、その駆動力がギヤー部３ｂを介して回転枠３に伝達され、当該回転枠３を回転させるようになっている。こうして回転枠３が回転すると、当該回転枠３のカムフォロワ３ａが固定枠２のカム溝２ａの傾斜カム溝部に沿って移動することで、同回転枠３は、回転しながら短縮状態（沈胴状態）にある位置から撮影待機状態における短焦点位置にまで前方に繰り出される。そして、本レンズ鏡筒１が撮影待機状態にあるときには、短焦点位置から長焦点位置までの間におけるズーミング動作中には、当該回転枠３は、カムフォロワ３ａとカム溝２ａの円周溝部とによって光軸Ｏに沿う方向には進退することなく回転方向にのみ駆動されるようになっている。
【００２９】
移動枠４は、円筒形状に形成されており、回転枠３の内周部において相対的に回転自在に嵌入している。移動枠４の後端外周部には、固定枠２の直進溝２ｂに嵌入するガイド突起部４ａが外方に向けて突設されている。これにより、当該移動枠４は、固定枠２によって回転規制された状態で光軸Ｏに沿う方向への進退移動が可能となっている。
【００３０】
また、移動枠４には、光軸Ｏに沿う方向に形成された三群用直進溝４ｂと、光軸Ｏに対して傾斜する方向に形成されるカム枠用カム溝４ｃと、外周後方部に形成される有底の円周溝４ｅとが設けられている。なお、三群用直進溝４ｂ，カム枠用カム溝４ｃは、いずれも内外周を貫通してなる溝部となっている。
【００３１】
この移動枠４は、回転枠３のバヨネット突起３ｅが円周溝４ｅに嵌入した状態で、回転枠３の内周部に嵌入するように配設されている。これにより、移動枠４は、回転枠３に対して相対的に回転が可能で、かつ回転枠３に対して光軸Ｏに沿う方向には相対的に進退移動しないようにバヨネット結合されている。
【００３２】
さらに、移動枠４の内周部には、光軸Ｏに沿う方向に形成され、後述の直進ガイド枠６のガイド突起部６ａが嵌入することで当該直進ガイド枠６の回転規制を行う直進溝４ｄが形成されている。
【００３３】
カム枠５は、円筒状に形成され、移動枠４の内周部に嵌入するように配置されている。このカム枠５は、外周後方部に外方に向けて突設されるカムフォロワ４１を有している。また、カム枠５の内周部には、光軸Ｏに対して傾斜する方向に形成される二群用カム溝５ａ及び一群用カム溝５ｂとが設けられている。
【００３４】
カム枠５のカムフォロワ４１は、移動枠４のカム枠用カム溝４ｃに摺動自在に係合しており、その係合状態で貫通し、さらにカムフォロワ４１の先端部が回転枠３のカム枠用直進溝３ｃに嵌入して支持されている。これにより、カム枠５は、回転枠３と一体的に回動し、かつ回転枠３に対して相対的に光軸Ｏに沿う方向に進退移動可能に支持されている。
【００３５】
直進ガイド枠６は、円筒状に形成されており、後端外周部に移動枠４の直進溝４ｄに嵌入するガイド突起部６ａを有している。また、直進ガイド枠６は、光軸Ｏに沿う方向に内外周を貫通するように形成される二群用直進溝６ｂと、光軸Ｏに沿う方向に外周面上に形成される有底の一群用直進溝６ｃと、前端側に形成されバリア駆動レバー（図示せず）を駆動する切り欠き状カム部６ｅとを有している。
【００３６】
そして、直進ガイド枠６は、カム枠５の内側に配置される一群枠１２の内周部に嵌入した状態に配置される。このとき、直進ガイド枠６のガイド突起部６ａが移動枠４の直進溝４ｄに嵌入している。これにより、当該直進ガイド枠６は、移動枠４により進退自在に支持されると共に回転規制されている。また、直進ガイド枠６の一群用直進溝６ｃに一群枠１２のガイド突部（図示せず）が嵌入している。これにより、当該直進ガイド枠６は、一群枠１２を進退自在に支持すると共に回転規制している。
【００３７】
なお、直進ガイド枠６は、カム枠５に対して回転自在となっており、かつ光軸Ｏに沿う方向に対しては、カム枠５と一体に移動するようになっている。
【００３８】
二群枠１１は、円筒状に形成され、直進ガイド枠６の内周部に嵌入された状態に配置されている。この二群枠１１の略中央部には二群レンズ２２が保持されており、外周部には外方に突設されるガイド突部１１ａと、このガイド突部１１ａ上において外方に突設されるカムフォロワ４３とを有している。
【００３９】
ガイド突部１１ａは、直進ガイド枠６の二群用直進溝６ｂに嵌入するようになっており、カムフォロワ４３は、二群用直進溝６ｂを挿通して、その外方に設けられるカム枠５の二群用カム溝５ａに摺動可能に嵌入している。したがってこれにより、二群枠１１は、直進ガイド枠６によって回転規制された状態で、カム枠５によって進退駆動されるようになっている。
【００４０】
一群枠１２は、円筒状に形成される枠部材２０と、この枠部材２０の内部で一群レンズ２１（図７，図８参照）を保持する一群レンズ保持枠１２ａ（図１では図示せず。図７，図８参照）等からなり、直進ガイド枠６の外周側であってカム枠５の内周側に嵌入した状態で配置されている。
【００４１】
一群枠１２の前面内側には、一群レンズ２１の前面を開閉自在とするレンズバリア２７が配置されている。また、一群枠１２の内周部には、光軸Ｏに沿う方向に形成され、内方に向けて突設されるガイド突部（図示せず）が、内周方向において等間隔に複数（例えば三つ）形成されている。そして、このガイド突部の配置されている部分に対応する一群枠１２の外周側後端部にカム枠５の一群用カム溝５ｂに嵌合するカムフォロワ４４が外方に向けて配設されている。
【００４２】
上述したように、一群枠１２のガイド突部は、直進ガイド枠６の一群用直進溝６ｃに嵌入している。これにより、一群枠１２は、直進ガイド枠６によって回転規制された状態で、カムフォロワ４４と一群用カム溝５ｂとのカム結合によって光軸Ｏに沿う方向に進退駆動されるようになっている。
【００４３】
レンズバリア２７は、一群枠１２の前端部において回動自在に支持されており、バネ付勢された状態で回動自在に支持されるバリア駆動レバー（図示せず）によって開閉駆動されるようになっている。このバリア駆動レバーは、当該レンズ鏡筒１の沈胴動作時に直進ガイド枠６の切り欠き状カム部６ｅによって回動駆動されるのに連動してレンズバリア２７を閉方向に駆動するようになっている。
【００４４】
シャッター及び三群ユニット３２は、図２等に示すように後端側に配設される三群用直進枠７と、シャッター機構を保持するシャッター枠９と、三群レンズ２３を保持する三群枠１０（図１では図示せず。図２，図３等参照）と、オサエ板部材８と、第１の可撓性部材である第１遮光シート５１と、第２の可撓性部材である第２遮光シート５２等によって構成されている。
【００４５】
三群用直進枠７は、図２，図３，図５，図６等に示すように、略円形状の板部材からなり、その略中央部分には撮影用の光束が通過する開口が穿設されている。また、三群用直進枠７は、外方の三方向に向けて延出するように腕部が形成され、各腕部の先端のそれぞれにはガイド突部７ａが設けられている。そして、各ガイド突部７ａからは、さらに外方に向けてカムフォロワ４２が突設されている。
【００４６】
三群用直進枠７は、移動枠４の内部に嵌入した状態で配置され、ガイド突部７ａが移動枠４の三群用直進溝４ｂに嵌入し、これを貫通してカムフォロワ４２が回転枠３の三群用カム溝３ｄに嵌入されるようになっている。これにより、当該三群用直進枠７は、移動枠４によって回転規制された状態で、回転枠３によって進退駆動されるようになっている。
【００４７】
三群用直進枠７の前側には、三群枠１０を挟むようにしてシャッター枠９が配設されている。この三群枠１０は、三群用直進枠７とシャッター枠９との間の空間において、三群用直進枠７に対し光軸Ｏに沿う方向への移動が規制された状態で配置されている。
【００４８】
詳しくは、三群枠１０は、三群用直進枠７上において光軸Ｏに沿う方向で前方に向けて植設される支持軸１０ａによって、光軸Ｏと直交する方向に回動自在（揺動可能）となるように、三群用直進枠７に対して軸支されている。この場合において、三群枠１０は、支持軸１０ａによって、光軸Ｏ上に三群レンズ２３を配置する位置（図５の状態）と光軸Ｏ上から三群レンズ２３を光軸外へと退避させる位置（図６の状態）との間で回動自在に軸支されている。
【００４９】
そのために、三群用直進枠７には、三群枠１０を光軸上から光路外へと回動させた際に、三群枠１０が撮影光束の光路外に退避するのに充分な退避空間を内部に有して形成されている。
【００５０】
シャッター枠９は、中央開口を開閉するシャッター羽根や、このシャッター羽根を回動駆動させるシャッターアクチュエータ等を含むシャッター機構等を保持する枠部材であって、図４に示すように略中央部に開口を有する略円形状の板部材に上記各種構成部材を取り付けた形態で構成されている。
【００５１】
このシャッター枠９は、三群用直進枠７上において光軸Ｏに沿う方向で前方に向けて植設される支軸４７によって、三群用直進枠７に対し光軸Ｏに沿う方向に移動し得るように、三群用直進枠７に対して軸支されている。なお、支軸４７には、コイルバネ４８が巻回されている。このコイルバネ４８は、シャッター枠９と三群用直進枠７との間で圧縮状態で配設されている。したがって、シャッター枠９は、コイルバネ４８の伸長性の付勢力によって三群用直進枠７に対して前方に向けて常に離間する方向に付勢されている。
【００５２】
シャッター枠９の前面側の所定の部位には、図４に示すように第２遮光シート５２（第２の可撓性部材）が貼着されている。
【００５３】
シャッター枠９の前方には、オサエ板部材８が、例えば複数のビス４９（図２参照）によって三群用直進枠７にシャッター枠９を光軸方向において挟むように固設されてシャッター枠９の光軸前方向への位置規制をしている。このオサエ板部材８と共に三群用直進枠７は、第２の枠部材を構成している。オサエ板部材８の光軸方向の前面側には、図３に示すように、第１遮光シート５１（第１の可撓性部材）が貼着されている。
【００５４】
第１，第２遮光シート５１，５２は、例えばポリエチレンテレフタレート（Polyethylene terephthalate；略号ＰＥＴ）等の可撓性を有する素材をシート状に形成したものである。
【００５５】
ところで、三群用直進枠７に対してシャッター枠９を取り付けた状態としたとき、両者の中央開口が連通されることにより撮影光束が通過する光路が形成される。本レンズ鏡筒１を撮影待機状態としたときには、この光路上に三群枠１０が配置されることになる。
【００５６】
この場合において、三群用直進枠７においては、三群枠１０が退避する空間を形成するための構造上から、三群用直進枠７及びシャッター枠９の図５の符号５０で示すような開口（切欠）が形成される。このことから、光路上に配置された三群枠１０の三群レンズ２３を通過する光線以外の不要光である光線が上記開口５０を撮影レンズ前方から後方へと通過して光路内に入射する可能性がある。
【００５７】
そこで、本実施形態においては、第１遮光シート５１及び第２遮光シート５２をオサエ板部材８及びシャッター枠９のそれぞれ所定の部位に貼着することで、レンズ鏡筒１が撮影待機状態としたときに、第１遮光シート５１及び第２遮光シート５２が上記開口５０を塞ぐ位置に配置している。
【００５８】
即ち、オサエ板部材８に貼着される第１遮光シート５１は、図５に示すように開口５０の略下半部を塞ぐように配置される。また、シャッター枠９に貼着される第２遮光シート５２は、同図に示すように開口５０の略上半部を塞ぐように配置される。このとき、第１遮光シート５１と第２遮光シート５２とのそれぞれの一部が重畳した状態となるように、両者の配置が設定されている。
【００５９】
そのために、第１遮光シート５１は、一部がオサエ板部材８の内側縁部からシャッター枠９及び三群用直進枠７の中央開口５３に向けて突出するように、当該開口５３の一部を塞ぐように配置されている。また、第２遮光シート５２は、一部がシャッター枠９の外側縁部からシャッター枠９及び三群用直進枠７の中央開口５３に向けて突出するように、当該開口５３の一部を塞ぐように配置されている。
【００６０】
一方、第１遮光シート５１及び第２遮光シート５２は、上述したように可撓性を有する素材によって形成されている。このことから、本レンズ鏡筒１が撮影待機状態から短縮状態（沈胴状態）に移行したときには、第１遮光シート５１は、二群枠１１の後端縁部の所定部位（後述する図７の符号Ａで示す部位）の当接によって撓まされた所定の形態に変形されるようになっている。また、このとき同時に、第２遮光シート５２は、当該レンズ鏡筒１が撮影準備状態から短縮状態（沈胴状態）への移行するのに伴って光軸Ｏ上から光軸外へと移行し光路上から退避する三群枠１０の当接によって撓まされ第１遮光シート５１の撓み先端と重なり所定の形態に変形されるようになっている。
【００６１】
また、さらに、第２遮光シート５２は、本レンズ鏡筒１が短縮状態（沈胴状態）から撮影準備状態へと移行する際には、第１遮光シート５１を、その変形前の状態となるように復元させるようになっている。
【００６２】
なお、第１遮光シート５１，第２遮光シート５２には、各所定の枠部材によって撓ませられたときに、それぞれが貼着されている側の部材、即ちオサエ板部材８の内周縁部，シャッター枠９の外周縁部に沿って各遮光シート５１，５２の縁部が撓むようにするために、筋状の切り欠きであるスリット５１ａ，５２ａが複数形成されている。以上のようにシャッター及び三群ユニット３２は構成されている。
【００６３】
四群枠１３は、四群レンズ２４を保持する枠部材である。四群枠１３の外周には、外方に向けて延出する長腕部１３ｅ及び短腕部１３ｆが設けられている。長腕部１３ｅの先端部近傍には、フォーカシングユニット１８のガイド軸（図示せず）が挿通される軸穴１３ａが形成されている。また、短腕部１３ｆの先端部近傍には、固定枠２の直進溝２ｃに摺動自在に係合されるガイド突起部１３ｂが形成されている。
【００６４】
この四群枠１３は、固定枠２の内部における後方に挿入配置されており、固定枠２に対して光軸Ｏに沿う方向に進退自在となっている。
【００６５】
即ち、四群枠１３は、フォーカシングユニット１８のフォーカス駆動源（フォーカスモータ）の駆動力によってギヤー列，送りネジを介してガイド軸が回動されると、このガイド軸に沿う方向、即ち光軸Ｏに沿う方向に進退駆動されて、撮影待機状態にあるときには適切なフォーカシング位置に、また沈胴動作時には所定の沈胴位置に配置されるようになっている。
【００６６】
また、四群枠１３の略中央部には開口部が穿設されており、この開口部の内側部分に四群レンズ２４が固定保持されている。
【００６７】
保持プレート１５は、金属製の板状部材からなり、組み立てられた状態のレンズ鏡筒１における固定枠２の後端面に対して、例えばビス等によって固定されている。この保持プレート１５には、略中央部に開口１５ａが設けられている。この開口１５ａの部位に、上述したように撮像ユニット（図示せず）が配設されるようになっている。
【００６８】
このように構成された上記一実施形態のレンズ鏡筒１における作用を図７及び図８，図９を用いて以下に説明する。
【００６９】
まず、本実施形態のレンズ鏡筒１が撮影待機状態にあるときには、図７に示すように各枠部材が光軸Ｏに沿う方向であって前方に向けて移動して、当該レンズ鏡筒１は全体として伸長した状態となっている。
【００７０】
図７に示すように、この撮影待機状態においては、二群枠１１とシャッター及び三群ユニット３２とは、互いに離間した位置に配置されている。したがって、シャッター及び三群ユニット３２の各所定の部位、即ちオサエ板部材８，シャッター枠９の各所定の部位に貼着された第１遮光シート５１，第２遮光シート５２は、それぞれが重畳した形態で開口５０を塞ぐように配置される。
【００７１】
本レンズ鏡筒１が撮影待機状態から沈胴状態へと移行するときには、まず、二群枠１１が後方に向けて光軸Ｏに沿う方向に移動する。この移動に伴って、二群枠１１の後端縁部の所定部位Ａが第１遮光シート５１に当接し、図８，図９に示すように、第１遮光シート５１の光軸側縁部の一部を後方に向けて撓ませて変形させる。
【００７２】
また、二群枠１１は、シャッター枠９と当接し、この当接状態を維持したままシャッター枠９をコイルバネ４８の付勢力に抗して光軸Ｏに沿う方向で後方に向けて移動させる。これと同時に、三群枠１０が光軸Ｏ上の位置から光軸外へと移行して光路上から退避する。
【００７３】
これによって、三群枠１０の外周縁部の所定部位が第２遮光シート５２に当接し、図８，図９に示すように、第２遮光シート５２の下方側縁部の一部を前方に向けて撓ませて変形させる。このようにして、本レンズ鏡筒１は沈胴状態となる。
【００７４】
本レンズ鏡筒１がこの沈胴状態から再度撮影待機状態へと移行するときには、二群枠１１が前方に向けて光軸Ｏに沿う方向に移動する。この移動に伴って、二群枠１１の後端縁部の所定部位Ａと第１遮光シート５１との当接状態は解除される。これにより、第１遮光シート５１は自身の復元力により平板状の元の形態に復帰する。
【００７５】
なお、このとき、シャッター枠９も前方に向けて光軸Ｏに沿う方向に移動する。これにより、第２遮光シート５２が変形状態にある第１遮光シート５１の先端部近傍に当接して、これを前方に押し出す作用もする。これにより、第２遮光シート５２は、第１遮光シート５１を変形前の状態に復元させるように作用する。
【００７６】
さらに、これと同時に、三群枠１０は、光軸街の位置から光軸Ｏ上の位置へと移行して光路上に配置される。これにより、三群枠１０の外周縁部の所定部位と第２遮光シート５２との当接状態が解除される。すると、第２遮光シート５２は自身の復元力により平板状の元の形態に復帰する。こうして、本レンズ鏡筒１は、図７に示す撮影待機状態となる。
【００７７】
以上説明したように上記一実施形態によれば、伸縮可能なレンズ鏡筒１は、光軸Ｏに沿う方向に移動可能な第１の枠部材である二群枠１１と、この二群枠１１より光軸後方に配置され、同二群枠１１に対し光軸Ｏに沿う方向に相対移動可能に形成される第２の枠部材である三群用直進枠７と、二群枠１１と三群用直進枠７との間に配置され、三群用直進枠７の方向に前方からの不要光が通過してしまう開口を有し、三群用直進枠７に対し光軸Ｏに沿う方向に相対移動可能で、本レンズ鏡筒１が伸長した撮影準備状態で三群用直進枠７に対し光軸Ｏに沿う方向に離間し、撮影準備状態より短縮した沈胴状態では、三群用直進枠７に対し撮影準備状態より近接する第３の枠部材であるシャッター枠９と、撮影準備状態では開口を塞ぐように、短縮状態では二群枠１１の当接により撓まされるようシャッター枠９より前方に配置されて三群用直進枠７に固着されている第１の可撓性部材である第１遮光シート５１と、撮影準備状態では光軸方向において第１遮光シート５１の直後に配置され、第１遮光シート５１と重畳して少なくとも開口の一部を塞ぐようにシャッター枠９に固着されて、短縮状態では第１遮光シート５１の撓み先端に重なり当接している第２の可撓性部材である第２遮光シート５２とを有して構成している。
【００７８】
なお、上記開口は、本レンズ鏡筒１内の光軸外にある部材との干渉を避けるための開口である。
【００７９】
また、本レンズ鏡筒１は、さらに三群用直進枠７に光軸上と光軸軸外との間を揺動可能に設けられた第４の枠部材である三群枠１０を有し、本レンズ鏡筒１が撮影準備状態から沈胴状態への移行に伴って三群枠１０が光軸Ｏ上から光軸外へと移行して、第２遮光シート５２を撓ませるようになっている。
【００８０】
そして、第２遮光シート５２は、レンズ鏡筒１が沈胴状態から撮影準備状態へと移行するのに伴って、第１遮光シート５１を、その変形前の状態に復元させるように作用するように構成している。
【００８１】
つまり、本実施形態のレンズ鏡筒１は、使用状態（撮影待機状態）と非使用状態（短縮状態；沈胴状態）との間で変位して短縮可能に構成されるレンズ鏡筒１であって、光軸Ｏに沿う方向に移動する枠部材同士の間に構造上生じる開口から入射する不要光線を遮光するための一対の遮光シート（第１遮光シート５１，第２遮光シート５２）を備えており、レンズ鏡筒１が撮影待機状態にあるときには、この一対の遮光シートを一部が重畳するような形態で開口を塞ぐように配置すると共に、沈胴状態となったときには、当該一対の遮光シートのそれぞれは光軸Ｏに沿う方向に移動する第１の枠部材（二群枠１１）と光軸に対して直交する方向に退避する三群枠１０によって撓ませて変形した形態で収納されるようにしている。
【００８２】
これにより、レンズ鏡筒１を撮影待機状態にあるときには、第１遮光シート５１，第２遮光シート５２の一対の遮光シートによって開口を塞ぐことができ、よって不要光線の入射を確実に遮光することができる。
【００８３】
また、レンズ鏡筒１を短縮状態（沈胴状態）としたときには、第１遮光シート５１，第２遮光シート５２を撓ませて変形した形態で収納することができるので、無駄な占有空間を不要とし、レンズ鏡筒１を短縮状態とすることができる。
【００８４】
また、開口５０は、三群枠１０との干渉を避けるために設けられるものであるが、それが三群枠１０という枠部材でなくとも、鏡筒内にある部材との干渉を避けるためのものであってもよい。例えば、その部材がレンズ鏡筒内に固定されて設けられたモータ等のアクチュエータ等であってもよい。
【００８５】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００８６】
【図１】本発明の一実施形態のレンズ鏡筒の構成を示す分解斜視図。
【図２】本実施形態のレンズ鏡筒を構成する複数の枠部材のうちシャッター及び三群ユニットと二群枠とを取り出して一部を分解して示す要部分解斜視図。
【図３】本実施形態のレンズ鏡筒を構成する複数の枠部材のうちシャッター及び三群ユニットを取り出してその前面側を示す要部拡大斜視図。
【図４】図３で示すシャッター及び三群ユニットのうちさらにシャッターユニットを取り出して示す要部拡大斜視図。
【図５】本実施形態のレンズ鏡筒の使用状態におけるシャッター及び三群ユニットを取り出して後面側から見た際の要部拡大斜視図。
【図６】本実施形態のレンズ鏡筒の非使用状態におけるシャッター及び三群ユニットを取り出して後面側から見た際の要部拡大斜視図。
【図７】本実施形態のレンズ鏡筒の使用状態における光軸を含む面に沿う断面図。
【図８】本実施形態のレンズ鏡筒の非使用状態における光軸を含む面に沿う断面図。
【図９】図８の一部を拡大して示す要部拡大断面図。
【符号の説明】
【００８７】
１……レンズ鏡筒
２……固定枠
３……回転枠
４……移動枠
５……カム枠
６……直進ガイド枠
７……三群用直進枠
８……オサエ板部材
９……シャッター枠
１０……三群枠
１１……二群枠
１２……一群枠
１３……四群枠
１５……保持プレート
２７……レンズバリア
３２……シャッター及び三群ユニット
４７……支軸
４８……コイルバネ
４９……ビス
５０……開口
５１……第１遮光シート
５２……第２遮光シート
５１ａ，５２ａ……スリット
【図１】
2009169285.tif 000003
【図２】
2009169285.tif 000004
【図３】
2009169285.tif 000005
【図４】
2009169285.tif 000006
【図５】
2009169285.tif 000007
【図６】
2009169285.tif 000008
【図７】
2009169285.tif 000009
【図８】
2009169285.tif 000010
【図９】
2009169285.tif 000011